(57)【要約】【課題】試打するゴルフクラブのシャフトのキックポイントや剛性を容易に変更し、自分自身に合ったゴルフクラブシャフトを選定できるようにする。【解決手段】ゴルフクラブシャフトを複数に分割した複数のエリアのシャフト周りに巻き付く筒状の合成樹脂製または金属製の複数の筒体を設け、複数の筒体のうち１つまたは２つの筒体をシャフト周りに固定して筒体を巻き付けた部分のシャフトの剛性値やキックポイントを変えることができるように構成した。【選択図】図１
2012125489.tif 000002
【特許請求の範囲】
【請求項１】
ゴルフクラブシャフトを複数に分割した複数のエリアのシャフト周りに巻き付く筒状の合成樹脂製または金属製の複数の筒体を設け、
複数の筒体のうち１つまたは２つの筒体をシャフト周りに固定して筒体を巻き付けた部分のシャフトの剛性値やキックポイントを変えることができるように構成したことを特徴とするゴルフクラブシャフトの選定用器具。
【請求項２】
前記筒体に筒体の円周を伸縮させることができる取付具を設け、シャフトへの筒体着脱を図ったことを特徴とする請求項１に記載のゴルフクラブシャフトの選定用器具。
【請求項３】
前記複数のエリアを第１ないし第３のエリアとしたことを特徴とする請求項１又は２に記載のゴルフクラブシャフトの選定用器具。
【発明の詳細な説明】
【技術分野】
【０００１】
本発明は、ゴルフクラブシャフトの選定用器具に関するものである。
【背景技術】
【０００２】
ゴルフクラブシャフトのキックポイントや硬さが自分に合ったものかどうかを選定するときに、従来はいろいろな特性のシャフトのついたゴルフクラブを試打して、自分に合った最適なものを選定するのが一般的であった。しかしながら、同じヘッドに特性の異なる複数のシャフトを取付けたものを用意して試打する必要があるばかりか、同じシャフトでもヘッドの特性によってシャフトの特性も変化するので、多種類のヘッドと複数のシャフトの組合せとなり、自分に合ったシャフトを探し出す時間と手間がかかっていた。
【０００３】
最近は、ヘッドからシャフトを着脱するのが簡単な試打用ゴルフクラブも開発され、複数のヘッドとシャフトの組合せを容易かつ迅速に行なえ、より一層自分に合ったゴルフクラブを探し出し易くなった。
【０００４】
それでも、キックポイントや剛性の異なるシャフトの試打をするには、多数のシャフトを交換してみなければならなかった。購入後のゴルフクラブを使用し、シャフトを取替えることなく、同一シャフトで剛性を変えることのできる手段も開発された。これは、ゴルフクラブ購入時にシャフト選定をするためのものではなく、すでに購入後のゴルフクラブのシャフトの外周面の全面または一部に補強材のテープを貼って、シャフトの全体または一部のこわさ（剛性）を増やすというものである（特許文献１参照）。
【先行技術文献】
【特許文献】
【０００５】
【特許文献１】特開平９−２２５０７８号公報
【発明の概要】
【発明が解決しようとする課題】
【０００６】
特許文献１に記載の補強材（テープ）をヘッドからシャフトが着脱自在な試打用ゴルフクラブのシャフトに適用しても、補強材はアルミニウム箔の粘着テープであり、これを一部に貼る場合も、比較的長い範囲に貼るため、貼り付けたテープの重量分だけシャフト重量が増大し、スイング時のフィーリングが、硬さのみならず重さによっても変化してしまう。また、自分自身に合ったシャフトのこわさを発見するまで、テープを貼ったり、剥がしたりを繰り返すこととなり、テープの粘着力が低下するおそれがあった。粘着力が低下した状態で試打すると、試打中にテープが剥がれることもあった。また、テープの巻き方によっては、自分に合ったシャフトの選定を間違えることもあった。
【０００７】
そこで、本発明は、従来のようなテープを使用せず、シャフトの特性、すなわちキックポイントや剛性を容易かつ迅速に変更して自分自身に合ったゴルフクラブシャフトを発見することのできるゴルフクラブシャフトの選定用器具を提供することを目的とする。
【課題を解決するための手段】
【０００８】
上述の目的を達成するため、本発明は、ゴルフクラブシャフトを複数に分割した複数のエリアのシャフト周りに巻き付く筒状の合成樹脂製または金属製の複数の筒体を設け、複数の筒体のうち１つまたは２つの筒体をシャフト周りに固定して筒体を巻き付けた部分のシャフトの剛性値やキックポイントを変えることができるように構成したものである。
【発明の効果】
【０００９】
本発明によれば、ゴルフクラブシャフトを複数に分割した複数のエリアのシャフト周りに巻き付く筒状の合成樹脂製または金属製の複数の筒体を設け、複数の筒体のうち１つまたは２つの筒体をシャフト周りに固定して筒体を巻き付けた部分のシャフトの剛性値を変えることができるように構成したので、任意の２つの筒体を組み合わせてシャフトに巻き付ければ、自分自身に合ったキックポイントを発見することも容易であり、器具の付け替えを繰り返しても器具自体が劣化することはない。
【図面の簡単な説明】
【００１０】
【図１】シャフトに２つの筒体を取付けた状態のゴルフクラブ正面図
【図２】筒体を取付けた部分のシャフト横断面図
【図３】第３エリアに第３筒体を取付けた状態のシャフトの剛性値（ＥＩ値）を示すグラフ
【図４】第２エリアに第２筒体を取付けた状態のシャフトのＥＩ値を示すグラフ
【図５】第１エリアに第１筒体を取付けた状態のシャフトのＥＩ値を示すグラフ
【発明を実施するための形態】
【００１１】
以下に、本発明の好適な実施形態について図面を参照にして説明する。
【００１２】
図１に示すように、試打用ゴルフクラブ１のシャフト２を３つに分割した第１エリア２Ａ、第２エリア２Ｂ、第３エリア２Ｃと命名し、各エリア２Ａ〜２Ｃのシャフト２の周りに巻き付く筒状の合成樹脂製または金属製の筒体３〜５を用意し、第２筒体４と第３筒体５をそれぞれ第２エリア２Ｂと第３エリア２Ｃに固定する。この図１の場合、第１筒体３は第１エリア２Ａに取付けていない。前記第１ないし第３の筒体３〜５は、硬質で軽量なものであれば、材質は問わない。また、前記シャフト１のエリアを３つに分割する場合、先調子、中調子、元調子というキックポイントを作り出せる範囲に設定する。すなわち、第２及び第３の筒体４、５を第２及び第３のエリア２Ｂ、２Ｃにそれぞれ取付けることで、元調子のシャフトになり、第１及び第２の筒体３、４を第１及び第２のエリア２Ａ、２Ｂにそれぞれ取付けることで先調子のシャフトになり、第１及び第３の筒体３、５を第１及び第３のエリア２Ａ、２Ｃにそれぞれ取付けることで中調子のシャフトになる。第１ないし第３の各エリア２Ａ〜２Ｃに、それぞれ第１ないし第３の筒体３〜５が対応する。
【００１３】
前記第１ないし第３の筒体３〜５のシャフト２への取付けは、筒体３〜５の軸方向に沿ったひとつの開口を形成し、この開口から互いに同一方向に延びる延出片６Ａ、６Ａを形成し、この延出片６Ａ、６Ａを締め付ける締結具６Ｂを設けて取付具６とした（図２参照）。この取付具６としては、ガス管とホースとを締結するバンドと同じような構造としたが、筒体３〜５の円周を縮める方向、すなわちシャフト周りにきつく巻き付く力を作用させる手段であれば、種々の手段が採用できる。この取付具６は、筒体３〜５のシャフト２への着脱を容易かつ迅速に行うものである。
【００１４】
前記第１ないし第３の筒体３〜５は、２つ１組で用いるときは、キックポイントの変更による適合性を発見するために使用され、１つだけで使用する場合は、シャフト２の筒体使用部分の剛性値（ＥＩ値）を高めたシャフトに変えるために行う。ここで、ＥＩ値は、曲げ剛性をいい、単位はｋｇ・ｍ２である。
【００１５】
図３ないし図５に示すグラフは、第１ないし第３のエリア２Ａ〜２Ｃにそれぞれ１つの筒体３〜５を取付けたときのシャフト剛性値と筒体３〜５を取付けないときのシャフト（基本シャフト）の剛性値とを比較するものである。基本シャフトとしては、長さ１１６９ｍｍ、重さ５０．２ｇ、トルク５．７、振動数（ＣＰＭ）２０８、調子（％）４２．３のフレックスＲ２のものであって、いずれの筒体３〜５も取付けない状態をグラフ上符号Ａの曲線で示す。図３のグラフは、シャフト２の先端（チップ）から１５０〜３５０ｍｍの第３エリア２Ｃに第３筒体５を取付けたときのＥＩ値を符号Ｘの曲線で示す。この図３のグラフを表化すると、表１のようになる。
【００１６】
【表１】
2012125489.tif 000003
【００１７】
図４のグラフは、シャフト２の先端から４００〜６００ｍｍの第２エリア２Ｂに第２筒体４を取付けた状態のＥＩ値を符号Ｙの曲線で示す。
【００１８】
【表２】
2012125489.tif 000004
【００１９】
図５のグラフは、シャフト２の先端から６５０〜８００ｍｍの第１エリア２Ａに第１筒体３を取付けた状態のＥＩ値を符号Ｚの曲線で示す。
【００２０】
【表３】
2012125489.tif 000005
【００２１】
３つの筒体３〜５を３つのエリア２Ａ〜２Ｃにそれぞれ１つずつ取付けた場合の、基本シャフトとの剛性値の違いを実験したが、基本シャフトのスペックが変われば当然に剛性値も変わる。なお、シャフトの硬度（フレックス）は、硬い順にＸ、Ｓ、ＳＲ、Ｒ、Ｒ２、Ａ、Ｌ、Ｒ３としているが、各メーカーによって違いがあるので、その定義はまちまちである。一般的にフレックスの測定は、順式たわみと逆式たわみの平均をとってフレックスの目安とする場合と、固有振動数測定器により、クラブの手元を固定して、ヘッドを振動させて１分間に何回振幅を繰り返すかで、動的な硬さを測定する場合とがある。
【００２２】
前記キックポイントは、シャフトの撓りやすい部分の位置の違いにより、先調子、中調子、元調子と区分したものである。グリップ側が硬く、先端が軟らかい先調子のシャフトは、一般的に、腕力が強く、スイングリズムが早く、クラブを振り下すときに腕のスピードが速い人にマッチするといわれている。また、グリップ側が軟らかく、シャフト全体が鞭のように撓る元調子のシャフトは、一般的に、非力な人で、スイングリズムがゆっくりで、クラブを振り下すときに腕のスピードが遅い人にマッチするといわれている。中調子シャフトは、上述した２つのシャフトの中間的特性のシャフトである。
【００２３】
ＥＩ値については、本願出願人の特開２００８−２１２３４０号公報に記載のように、例えばドライバー用のシャフトであれば、先端１５０ｍｍの位置の曲げ剛性値と先端から９５０ｍｍの位置の曲げ剛性値の差が５ｋｇ・ｍ２以上であり、先端から１５０ｍｍの位置の曲げ剛性値が２ｋｇ・ｍ２以下であるものは、ヘッドスピードが３５ｍ／ｓ〜４０ｍ／ｓのゴルファーに適することも知見されている。したがって、シャフトのどの部分の剛性値を大きくすれば、特定のゴルファーにとって打ち出し角を大きく、飛距離を増大させることができるのかを容易に見つけ出す手助けをこの選定用器具が果たすことができる。
【００２４】
なお、上述した実施形態では、シャフト２を３つのエリアに分割したが、２つのエリアあるいは４以上のエリアに分割して、分割数に応じ器具を準備し、シャフトの各部分の特性を変えるようにすることもできる。
【符号の説明】
【００２５】
１    ゴルフクラブ
２    シャフト
２Ａ  第１エリア
２Ｂ  第２エリア
２Ｃ  第３エリア
３    第１筒体
４    第２筒体
５    第３筒体
【図１】
2012125489.tif 000006
【図２】
2012125489.tif 000007
【図３】
2012125489.tif 000008
【図４】
2012125489.tif 000009
【図５】
2012125489.tif 000010